(57)【要約】【課題】インシュレータの壁部に突起を備える場合、スライド金型が不要な安価な金型を用いてインシュレータを成形しても金型の耐久性を損なうことなく、巻線の渡り線を傷つけることのないインシュレータを有する電動機を提供すること。【解決手段】上インシュレータ２２１において、フランジ部２２２は、壁部２２４から径方向の外側に開放された切欠部２２２ａを有しており、上インシュレータ２２１を軸方向から見たとき、突起２２５の周方向の外形線Ｌ１、Ｌ２は、切欠部２２２ａに重なるかまたは切欠部２２２ａの内側にあり、切欠部２２２ａのフランジ部２２２の上面Ｓ１側には、切欠部２２２ａの周方向の幅ａよりも広い周方向の幅ｂを有する段部２２２ｂが形成され、段部２２２ｂの側面Ｓ３とフランジ部２２２の上面Ｓ１が交わって形成される縁にＲ面取り部Ｅ１が形成されている。【選択図】図６
2018139463.tif 000002
【特許請求の範囲】
【請求項１】
円筒状のステータコアと前記ステータコアの上端面に取付けられる円環状の上インシュレータと前記ステータコアの下端面に取付けられる円環状の下インシュレータと前記上インシュレータと前記下インシュレータを介して前記ステータコアに巻回される巻線とを有するステータと、前記ステータの内側に配置されるロータとを備えた電動機であって、
前記上インシュレータは、前記ステータコアの上端面に当接する円環状のフランジ部と、前記フランジ部から上方に突設して前記巻線の渡り線を支持する複数の壁部と、前記壁部の外周面から径方向の外側に突出して前記壁部の外周面から前記渡り線の離脱を防ぐ突起とを備え、
前記フランジ部は、前記壁部から径方向の外側に開放された切欠部を有しており、
前記上インシュレータを軸方向から見たとき、前記突起の周方向の外形線は、前記切欠部に重なるかまたは前記切欠部の内側にあり、
前記切欠部の前記フランジ部の上面側には、前記切欠部の周方向の幅よりも広い周方向の幅を有する段部が形成され、
前記段部の側面と前記フランジ部の上面が交わって形成される縁にＲ面取り部が形成されていることを特徴とする電動機。
【請求項２】
前記突起は、前記壁部の外周面から径方向の外側に延びる縁のうち、前記フランジ部側に形成される縁にＲ面取り部が形成されていることを特徴とする請求項１に記載の電動機。
【発明の詳細な説明】
【技術分野】
【０００１】
本発明は、インシュレータを有するステータを備えた電動機に関する。
【背景技術】
【０００２】
従来の電動機には、回転磁界を発生するステータの内側に永久磁石を備えるロータを回転可能に配置したインナーロータ型の電動機がある。この型の電動機には、例えば、空気調和機の室内機に搭載される送風ファンを回転駆動するためのブラシレスＤＣモータがある。
【０００３】
このような電動機は、例えば、合成樹脂で形成されたモータ外郭により覆われたステータを備え、このステータは、円筒状のステータコアと、ステータコアの上端面に取付けられる円環状の上インシュレータと、ステータコアの下端面に取付けられる円環状の下インシュレータと、上インシュレータと下インシュレータを介してステータコアに巻回される巻線とを有している。上インシュレータは、例えば、ステータコアの上端面に当接する円環状のフランジ部と、フランジ部から上方に突設して巻線の渡り線を支持する複数の壁部と、壁部の外周面から径方向の外側に突出して壁部の外周面から巻線の渡り線の離脱を防ぐ突起とを備えている（例えば、特許文献１）。
【０００４】
上述のようなフランジ部と突起を備える上インシュレータを金型成形するには、上下方向に２つに分割された上側および下側の金型と、径方向にスライドするスライド金型が用いられる。しかしながら、スライド金型は構造が複雑で金型費用が高価であるという問題があった。この問題を解決するため、スライド金型を用いずに上側および下側の金型のみを用いて、上述のような突起を備える上インシュレータを成形する場合は、フランジ部に壁部から径方向の外側に開放された切欠部が形成される。この切欠部の形成は、例えば、フランジ部よりも上方にある突起の下面と、この下面に交わる壁部の外周面とを成形する部分を下側の金型に設けた場合、成形後の上インシュレータを上側の金型と下側の金型を上下方向に抜いて取り出せるようにするためである。
【０００５】
上述のようなフランジ部に切欠部が形成される上インシュレータには、例えば、切欠部の側面とフランジ部の上面が直角に交わって形成された縁に角が形成される。このため、上インシュレータの壁部に巻線の渡り線を配線するとき、切欠部の側面とフランジ部の上面が交わって形成された縁の角に巻線の渡り線が接触して傷つくおそれがあった。また、上インシュレータの壁部に巻線の渡り線が配線された後、合成樹脂でモータ外郭を成形するときの成形圧力によって巻線の渡り線がたわんだとき（ずれたとき）、切欠部の側面とフランジ部の上面が交わって形成された縁の角に巻線の渡り線が接触して傷つくおそれがあった。この問題を解決するため、切欠部の側面とフランジ部の上面が交わって形成された縁にＲ面取り部を形成することが実施されている。
【先行技術文献】
【特許文献】
【０００６】
【特許文献１】特許第４４０４１９９号公報
【発明の概要】
【発明が解決しようとする課題】
【０００７】
しかしながら、このＲ面取り部を形成するためには、上側の金型に対して、上側の金型と下側の金型のパーティングライン上に先端が尖った微小な突部を設ける必要があった。このような突部は、上側の金型を繰り返し使っていくうちに摩耗し易く、上側の金型の耐久性を損なうおそれがあった。
【０００８】
本発明は上記問題点に鑑み、インシュレータの壁部に突起を備える場合、スライド金型が不要な安価な金型を用いてインシュレータを成形しても金型の耐久性を損なうことなく、巻線の渡り線を傷つけることのないインシュレータを有する電動機を提供することを目的とする。
【課題を解決するための手段】
【０００９】
上記課題を解決するために、本発明の電動機は、円筒状のステータコアとステータコアの上端面に取付けられる円環状の上インシュレータとステータコアの下端面に取付けられる円環状の下インシュレータと上インシュレータと下インシュレータを介してステータコアに巻回される巻線とを有するステータと、ステータの内側に配置されるロータとを備えたものである。
そして、上インシュレータは、ステータコアの上端面に当接する円環状のフランジ部と、フランジ部から上方に突設して巻線の渡り線を支持する複数の壁部と、壁部の外周面から径方向の外側に突出して壁部の外周面から渡り線の離脱を防ぐ突起とを備えている。
さらに、フランジ部は、壁部から径方向の外側に開放された切欠部を有しており、上インシュレータを軸方向から見たとき、突起の周方向の外形線は、切欠部に重なるかまたは切欠部の内側にあり、切欠部のフランジ部の上面側には、切欠部の周方向の幅よりも広い周方向の幅を有する段部が形成され、段部の側面とフランジ部の上面が交わって形成される縁にＲ面取り部が形成されていることを特徴とする。
【発明の効果】
【００１０】
本発明の電動機によれば、インシュレータの壁部に突起を備える場合、スライド金型が不要な安価な金型を用いてインシュレータを成形しても金型の耐久性を損なうことなく、巻線の渡り線を傷つけることがないようにすることができる。
【図面の簡単な説明】
【００１１】
【図１】本発明のステータを備えた電動機を示す断面図である。
【図２】本発明のインシュレータを備えたステータを示す外観斜視図である。
【図３】本発明のインシュレータを備えたステータを示す要部外観斜視図である。
【図４】図２のＡ矢視丸印で囲んだ部分に相当する、上インシュレータの壁部に巻線の渡り線を配線した状態を示す要部外観斜視図である。
【図５】本発明の上インシュレータを示す説明図であり、（ａ）は上インシュレータを周方向に２分割した成形品を示す平面図であり、（ｂ）は（ａ）のＢ矢視丸印で囲んだ部分を示す要部平面図である。
【図６】本発明の上インシュレータを示す要部外観側面図である。
【図７】図６に対応する上インシュレータを成形するための上側の金型と下側の金型の合わせ面（パーティングライン）を示す要部説明図であり、（ａ）は本発明の要部断面図、（ｂ）は従来の課題を説明するための要部断面図である。
【図８】本発明の上インシュレータの他の実施例を示す要部外観側面図である。
【図９】図８に対応する上インシュレータを成形するための上側の金型と下側の金型の合わせ面（パーティングライン）を示す他の実施例の要部断面図である。
【図１０】本発明の上インシュレータを周方向に２分割した成形品を示す他の実施例の平面図である。
【発明を実施するための形態】
【００１２】
＜電動機の全体構成＞
以下、本発明の実施形態を添付図面に基づき詳細に説明する。図１乃至図１０は、本実施形態における電動機を説明する図である。図１乃至図１０に示すように、この電動機１は、回転磁界を発生するステータ２の内側に永久磁石３１を備えるロータ３を回転可能に配置したインナーロータ型の電動機であり、例えば、空気調和機の室内機に搭載される送風ファンを回転駆動するためのブラシレスＤＣモータである。
【００１３】
この電動機１は、図１および図２に示すように、円筒状のステータ２と、ステータ２の内側にステータ２の中心軸Ｏに同軸的に配置されるロータ３とを有している。ステータ２は、金型内で後述するステータコア２１とインシュレータ２２と巻線２３とを合成樹脂で一体的にモールド成形することによって、後述するステータコア２１のティース面２１３を残して、全体が合成樹脂で形成されたモータ外郭４０で覆われている。
【００１４】
ステータ２の一方の端面２４側（図１において右側）を覆うモータ外郭４０には、ロータ３に備えた後述するシャフト３２を支持する軸受３３が収納される第１ブラケット４１が設けられている。ステータ２の他方の端面２５側（図１において左側）を覆うモータ外郭４０には、電動機１を駆動する制御部を搭載した図示しない回路基板が搭載され、その回路基板を覆うようにシャフト３２を支持するもう１つの軸受３４が収納される第２ブラケット４２が設けられている。
【００１５】
ロータ３は、ステータ２の中心軸Ｏに同軸的に配置され軸受３３、３４に回転可能な状態で支持されたシャフト３２と、シャフト３２に同軸的に取付けられた円筒状のバックヨーク３５と、このバックヨーク３５の外径側に配置された複数の永久磁石３１とを備えている。ステータ２とロータ３の両端には、上述のように第１ブラケット４１と第２ブラケット４２が設けられ、第１ブラケット４１はモータ外郭４０と一体成形され、第２ブラケット４２はモータ外郭４０に圧入された構造になっている。
【００１６】
＜ステータの構成＞
ステータ２は、図１乃至図３に示すように、電磁鋼板の積層体からなる円筒状のステータコア２１と、ステータコア２１を絶縁被覆するインシュレータ２２と、インシュレータ２２を介して後述するステータコア２１のティース部２１２に巻回される巻線２３とを備えている。なお、ステータコア２１は、図２および図３において、積層状態を示す線は省略されている。また、ステータコア２１は、電磁鋼板の積層体からなるが、圧粉鉄心など他の作製方法で作製されたものでもよい。
【００１７】
ステータコア２１は、円筒状のヨーク部２１１と、ヨーク部２１１の内周面からヨーク部２１１の中心軸Ｏに向かって突設する複数のティース部２１２（本実施例では１２極）とを備え、各ティース部２１２の先端には、永久磁石３１の外周面に対し所定の空隙をもって対向するティース面２１３が形成されている。
【００１８】
インシュレータ２２は、ステータコア２１に対しヨーク部２１１の中心軸Ｏの方向から取付けられる上インシュレータ２２１と下インシュレータ２２６とを有し、上インシュレータ２２１と下インシュレータ２２６はそれぞれ、絶縁性を有する合成樹脂によって円環状に形成されている。上インシュレータ２２１がステータコア２１の上端面２１４に取付けられ、下インシュレータ２２６がステータコアの下端面２１５に取付けられた後、上インシュレータ２２１および下インシュレータ２２６を介してティース部２１２に巻線２３を巻回し、上インシュレータ２２１および下インシュレータ２２６と巻線２３とを合成樹脂で覆うことでモータ外郭４０が形成されている。本実施例では、上インシュレータ２２１と下インシュレータ２２６はそれぞれ、図３や図５に示すように、周方向に２分割された２個の成形品（上インシュレータ２２１は１個のみ図示）を組合せて円環状に形成されているが、上インシュレータ２２１と下インシュレータ２２６はそれぞれ、周方向に分割せず１個の成形品から形成されていてもよい。
【００１９】
＜インシュレータの詳細な構成＞
本実施例では、上インシュレータ２２１と下インシュレータ２２６は、基本的な構成要素（フランジ部と巻胴部）は略同じであり、本発明の特徴部分が上インシュレータ２２１であるため、以下において、上インシュレータ２２１のみを説明し、下インシュレータ２２６の説明は省略する。上インシュレータ２２１は、図２乃至図６に示すように、ステータコア２１のヨーク部２１１の上端面２１４に当接する円環状のフランジ部２２２と、フランジ部２２２から径方向の内側に突設してステータコア２１のティース部２１２に当接する複数の巻胴部２２３と、フランジ部２２２から上方に突設して巻線２３の渡り線２３ａを支持する複数の壁部２２４と、壁部２２４の外周面２２４ａから径方向の外側に突出して壁部２２４の外周面２２４ａから巻線２３の渡り線２３ａの離脱を防ぐ突起２２５とを備えている。巻胴部２２３は、ティース部２１２のティース面２１３を残してティース部２１２に当接され、巻線２３が巻回されている。
【００２０】
上インシュレータ２２１は、図５および図６に示すように、スライド金型が不要な安価な上下の金型を用いて成形する際、壁部２２４の外周面２２４ａに突起２２５が形成される場合、上側の金型と下側の金型が上下方向にそれぞれ抜けるようにするために、フランジ部２２２には、壁部２２４から径方向の外側に開放された切欠部２２２ａが形成されている。突起２２５と切欠部２２２ａは、上インシュレータ２２１を中心軸Ｏの方向から見たとき、突起２２５の周方向の外形線Ｌ１、Ｌ２が切欠部２２２ａに重なるかまたは切欠部２２２ａの内側になる位置関係に配置されている。
【００２１】
＜本発明の特徴となる上インシュレータの構造、作用および効果＞
次に、本実施形態における電動機１において、図５乃至図７を用いて、本発明の特徴となる上インシュレータ２２１の構造や、その作用および効果について説明する。上記した上インシュレータ２２１の構成では、背景技術の欄で述べたように、フランジ部２２２に切欠部２２２ａが形成されている場合、次のような問題がある。
【００２２】
上インシュレータ２２１は、巻線２３の渡り線２３ａがフランジ部２２２の上面Ｓ１に沿って壁部２２４に配線されるため、切欠部２２２ａの側面Ｓ２とフランジ部２２２の上面Ｓ１が交わって形成される縁に角があると、その角に巻線２３の渡り線２３ａが接触して傷つくおそれがあった。例えば、巻線２３の渡り線２３ａをフランジ部２２２の上面Ｓ１に沿って壁部２２４に配線するとき、巻線２３の渡り線２３ａが切欠部２２２ａの側面Ｓ２とフランジ部２２２の上面Ｓ１が交わって形成される縁の角に接触して傷つくおそれがあった。また、巻線２３の渡り線２３ａが壁部２２４に配線された後、合成樹脂でモータ外郭４０を成形するときの成形圧力によって巻線２３の渡り線２３ａがたわむとき（ずれるとき）、切欠部２２２ａの側面Ｓ２とフランジ部２２２の上面Ｓ１が交わって形成される縁の角に接触して傷つくおそれがあった。
【００２３】
上記した上インシュレータ２２１において、切欠部２２２ａの側面Ｓ２とフランジ部２２２の上面Ｓ１が交わって形成される縁に角があり、その角に巻線２３の渡り線２３ａが接触して傷つかないようにするため、この縁にＲ面取り部を形成すると良いが、次のような問題がある。これは、図７（ｂ）に示すように、縁にＲ面取り部Ｅ１を形成するには、上側の金型Ｋ１に対して、上側の金型Ｋ１と下側の金型Ｋ２の合わせ面（パーティングライン）ＰＬ上に先端が尖った微小な突部を形成する必要があり、この突部があると、上側の金型Ｋ１の耐久性が損なわれる。上側の金型Ｋ１の突部は、金型を繰り返し使っていくうちに摩耗し易く、切欠部２２２ａの側面Ｓ２とフランジ部２２２の上面Ｓ１が交わって形成される縁にＲ面取り部Ｅ１を形成することができなくなる不具合が生じるおそれがあった。
【００２４】
そこで、本実施例による上インシュレータ２２１では、図６に示すように、切欠部２２２ａのフランジ部２２２の上面Ｓ１側には、切欠部２２２ａの周方向の幅ａよりも広い周方向の幅ｂを有する段部２２２ｂが形成されている。段部２２２ｂは、段部２２２ｂの側面Ｓ３とフランジ部２２２の上面Ｓ１が交わって形成される縁にＲ面取り部Ｅ１が形成されている。従って、縁にＲ面取り部Ｅ１が形成されていることで、段部２２２ｂの側面Ｓ３とフランジ部２２２の上面Ｓ１とが角ではなく曲率のついた丸まった面Ｓ４により接続されている。
【００２５】
この結果、上インシュレータ２２１において、段部２２２ｂの側面Ｓ３とフランジ部２２２の上面Ｓ１が交わって形成される縁にＲ面取り部Ｅ１が形成されて丸まった面Ｓ４になっているため、巻線２３の渡り線２３ａをフランジ部２２２の上面Ｓ１に沿って壁部２２４に配線するとき、巻線２３の渡り線２３ａは丸まった面Ｓ４に接触するが、角ではないため傷つくことがない。また、巻線２３の渡り線２３ａが壁部２２４に配線された後、合成樹脂でモータ外郭４０を成形するときの成形圧力によって巻線２３の渡り線２３ａがたわむとき（ずれるとき）、巻線２３の渡り線２３ａが丸まった面Ｓ４に接触しても、同様に傷つくことがない。従って、巻線２３の渡り線２３ａを壁部２２４に配線する工程からモータ外郭４０を成形する工程までの間で巻線２３の渡り線２３ａが傷つくのを防止することができる。
【００２６】
さらに、図７（ａ）に示すように、段部２２２ｂを形成することで、上側の金型Ｋ１と下側の金型Ｋ２の合わせ面（パーティングライン）ＰＬ上に形成される上側の金型Ｋ１の突部の先端の幅が（ｂ−ａ）／２となり、従来のような先端が尖った微小な突部とならないため、上側の金型Ｋ１の耐久性を損なうことがない。従って、上側の金型Ｋ１の突部は、金型を繰り返し使っても摩耗せず、段部２２２ｂの側面Ｓ３とフランジ部２２２の上面Ｓ１が交わって形成される縁にＲ面取り部Ｅ１を形成することができなくなる不具合が生じることがない。
【００２７】
以上説明してきた本実施例による電動機１によれば、本発明の特徴部分として、上インシュレータ２２１に備えたフランジ部２２２は、壁部２２４から径方向の外側に開放された切欠部２２２ａを有しており、上インシュレータ２２１を軸方向から見たとき、突起２２５の周方向の外形線Ｌ１、Ｌ２は、切欠部２２２ａに重なるかまたは切欠部２２２ａの内側にあり、切欠部２２２ａのフランジ部２２２の上面Ｓ１側には、切欠部２２２ａの周方向の幅ａよりも広い周方向の幅ｂを有する段部２２２ｂが形成され、段部２２２ｂの側面Ｓ３とフランジ部２２２の上面Ｓ１が交わって形成される縁にＲ面取り部Ｅ１が形成されている。この結果、上インシュレータ２２１の壁部２２４の外周面２２４ａに突起２２５を備える場合、スライド金型が不要な安価な金型を用いて上インシュレータ２２１を成形しても、金型の耐久性を損なうことなく、巻線２３の渡り線２３ａが傷つくのを防止することができる。
【００２８】
なお、本実施例による電動機１では、ステータコア２１の上端面２１４に取付けられる上インシュレータ２２１において、壁部２２４の外周面２２４ａに突起２２５が形成され、フランジ部２２２の切欠部２２２ａに段部２２２ｂが形成されるようにしたが、本発明はこれに限らず、ステータコア２１の下端面２１５に取付けられる下インシュレータ２２６において、壁部２２４の外周面２２４ａに突起２２５が形成され、フランジ部２２２の切欠部２２２ａに段部２２２ｂが形成されるようにしてもよい。また、上インシュレータ２２１と下インシュレータ２２６を入れ替えて、上インシュレータ２２１をステータコア２１の下端面２１５に取付け、下インシュレータ２２６をステータコア２１の上端面２１４に取付けてもよい。
【００２９】
＜他の実施例の突起＞
次に、壁部２２４の外周面２２４ａに形成された突起２２５の他の実施例について、図８および図９を用いて説明する。なお、上述の実施例と相違する部分である、突起２２５と切欠部２２２ａを中心に説明する。突起２２５は、図８に示すように、壁部２２４の外周面２２４ａから径方向の外側に延びる縁のうち、フランジ部２２２側に形成される縁にＲ面取り部Ｅ２が形成されている。この結果、上インシュレータ２２１において、突起２２５のフランジ部２２２側に形成される縁にＲ面取り部Ｅ２が形成され曲率のついた丸まった面Ｓ５になっているため、巻線２３の渡り線２３ａを壁部２２４に配線する工程からモータ外郭４０を成形する工程までの間で巻線２３の渡り線２３ａが丸まった面Ｓ５に接触しても、角ではないため傷つくことがない。
【００３０】
また、切欠部２２２ａは、上述の実施例の周方向の幅ａよりも広い周方向の幅ｃに形成されている。切欠部２２２ａが周方向の幅ｃに設定されているので、段部２２２ｂも上述の実施例の周方向の幅ｂよりも広い周方向の幅ｄに形成されている。この切欠部２２２ａの周方向の幅ｃを基準にして、図９に示すように、上側の金型Ｋ１と下側の金型Ｋ２の合わせ面（パーティングライン）ＰＬが設定されている。上述の実施例のように、切欠部２２２ａの周方向の幅ａを基準にして、上側の金型Ｋ１と下側の金型Ｋ２の合わせ面（パーティングライン）ＰＬを設定した場合には、突起２２５のフランジ部２２２側に形成される縁にＲ面取り部Ｅ２を形成するには、下側の金型Ｋ２に対して、上側の金型Ｋ１と下側の金型Ｋ２の合わせ面（パーティングライン）ＰＬ上に先端が尖った微小な突部を形成する必要があった。これに対して、本実施例のように、切欠部２２２ａの周方向の幅ｃを設定し、上側の金型Ｋ１と下側の金型Ｋ２の合わせ面（パーティングライン）ＰＬを設定することで、上側の金型Ｋ１と下側の金型Ｋ２の合わせ面（パーティングライン）ＰＬ上に形成される下側の金型Ｋ２の突部の先端の幅が（ｃ−ａ）／２となり、先端が尖った微小な突部とならないため、下側の金型Ｋ２の耐久性を損なうことがない。従って、下側の金型Ｋ２の突部は、金型を繰り返し使っても摩耗せず、突起２２５のフランジ部２２２側に形成される縁にＲ面取り部Ｅ２を形成することができなくなる不具合が生じることがない。
【００３１】
以上説明してきた本実施例による電動機１によれば、本発明の特徴部分として、突起２２５は、壁部２２４の外周面２２４ａから径方向の外側に延びる縁のうち、フランジ部２２２側に形成される縁にＲ面取り部Ｅ２が形成されている。さらに、切欠部２２２ａの周方向の幅ｃは、突起２２５の周方向の幅よりも広くなる。この結果、上インシュレータ２２１の壁部２２４の外周面２２４ａに突起２２５を備える場合、スライド金型が不要な安価な金型を用いて上インシュレータ２２１を形成しても、金型の耐久性を損なうことなく、巻線２３の渡り線２３ａが傷つくのを防止することができる。
【００３２】
＜他の実施例の上インシュレータ＞
次に、上インシュレータ２２１の他の実施例について、図１０を用いて説明する。なお、上述の実施例と相違する部分である、突起２２５と切欠部２２２ａの位置を中心に説明する。上インシュレータ２２１は、周方向に２分割された２個の成形品からなっており、突起２２５は、フランジ部２２２から上方に突設した壁部２２４の外周面２２４ａから径方向の外側に突出するとともに、巻胴部２２３の径方向の外側に形成された壁部２２４の外周面２２４ａに形成されている。切欠部２２２ａは、巻胴部２２３の径方向の外側に延びる延長線上に位置するフランジ部２２２に形成されている。突起２２５と切欠部２２２ａは、図５（ｂ）に示す上述の実施例と同様に、上インシュレータ２２１を中心軸Ｏの方向から見たとき、突起２２５の周方向の外形線Ｌ１、Ｌ２が切欠部２２２ａに重なるかまたは切欠部２２２ａの内側になる位置関係に配置されている。
【００３３】
この結果、図５に示す上述の実施例における切欠部２２２ａは、巻胴部２２３と巻胴部２２３の間のフランジ部２２２に形成されているが、本実施例における切欠部２２２ａは、巻胴部２２３の径方向の外側に延びる延長線上に位置するフランジ部２２２に形成されている。このため、切欠部２２２ａは、上インシュレータ２２１の径方向の厚さが他の箇所に比べて厚くなる箇所に形成される。この結果、特に、上インシュレータ２２１が周方向に２分割された２個の成形品からなっている場合には、フランジ部２２２に切欠部２２２ａを形成しても、上インシュレータ２２１の径方向に対する変形を防止して上インシュレータ２２１の強度を高めることができる。
【符号の説明】
【００３４】
１  電動機
２  ステータ
２１  ステータコア
２１１  ヨーク部
２１２  ティース部
２１３  ティース面
２１４  上端面
２１５  下端面
２２  インシュレータ
２２１  上インシュレータ
２２２  フランジ部
２２２ａ  切欠部
２２２ｂ  段部
２２３  巻胴部
２２４  壁部
２２４ａ  外周面
２２５  突起
２２６  下インシュレータ
２３  巻線
２３ａ  渡り線
２４  一方の端面
２５  他方の端面
３  ロータ
３１  永久磁石
３２  シャフト
３３、３４  軸受
３５  バックヨーク
４０  モータ外郭
４１  第１ブラケット
４２  第２ブラケット
Ｏ  中心軸
Ｌ１、Ｌ２  外形線
Ｅ１、Ｅ２  Ｒ面取り部
Ｓ１  フランジ部の上面
Ｓ２  切欠部の側面
Ｓ３  段部の側面
Ｓ４、Ｓ５  丸まった面
ＰＬ  合わせ面
Ｋ１  上側の金型
Ｋ２  下側の金型
ａ、ｃ  切欠部の周方向の幅
ｂ、ｄ  段部の周方向の幅
【図１】
2018139463.tif 000003
【図２】
2018139463.tif 000004
【図３】
2018139463.tif 000005
【図４】
2018139463.tif 000006
【図５】
2018139463.tif 000007
【図６】
2018139463.tif 000008
【図７】
2018139463.tif 000009
【図８】
2018139463.tif 000010
【図９】
2018139463.tif 000011
【図１０】
2018139463.tif 000012